(57)【要約】【課題】同じ階層に作成された複数のフォルダのいずれにも同種類のファイルが格納されているような場合でも目的のファイルを探し出す時間を短縮できる再生装置を提供する。【解決手段】ＤＶＤドライブ１によりディスクから読み出されたフォルダ情報およびファイル情報がＲＡＭ７に記憶され、該記憶されたフォルダ情報に基づき制御部６が表示装置にフォルダ名を表示させ、リモコン操作によりフォルダ名が選択されると、制御部６は選択されたフォルダ名のフォルダ内のＭＰ３ファイル、ＷＭＡファイル、ＪＰＥＧファイルそれぞれのファイル数をＲＡＭ７に記憶されたフォルダ情報およびファイル情報に基づき計数し、制御部６は計数結果を各ファイルを表す画像と対応させて表示装置に表示させる。【選択図】図１
2008097712.tif 000002
【特許請求の範囲】
【請求項１】
情報読み出し手段と、ＲＡＭと、第一の表示信号生成手段と、第二の表示信号生成手段と、計数手段とを備え、
前記情報読み出し手段は記録媒体からフォルダ情報およびファイル情報を読み出し、該読み出されたフォルダ情報およびファイル情報は前記ＲＡＭに記憶され、
前記第一の表示信号生成手段は、表示手段にフォルダ名を表示させるための表示信号を前記ＲＡＭに記憶されたフォルダ情報に基づき生成し、
前記計数手段は、前記表示手段に表示されたフォルダ名が操作手段における操作により選択されると、該選択されたフォルダ名をもつフォルダ内の所定の少なくとも一種類のファイルの種類毎のファイル数を前記ＲＡＭに記憶されたファイル情報に基づき計数し、前記選択されたフォルダ名をもつフォルダ内のフォルダ数を前記ＲＡＭに記憶されたフォルダ情報に基づき計数し、
前記第二の表示信号生成手段は、前記計数されたファイル数を表す画像を前記所定の少なくとも一種類のファイルを表す画像と対応させ、前記計数されたフォルダ数を表す画像をフォルダを表す画像と対応させて前記表示手段に表示させるための表示信号を生成する、ことを特徴とする再生装置。
【請求項２】
表示手段にフォルダ名を表示させるための表示信号を記録媒体に記録されたフォルダ情報に基づき生成する第一の表示信号生成手段と、
前記表示手段に表示されたフォルダ名が操作手段における操作により選択されると、該選択されたフォルダ名をもつフォルダ内の所定の少なくとも一種類のファイルの種類毎のファイル数を前記記録媒体に記録されたファイル情報に基づき計数する計数手段と、
該計数されたファイル数を表す画像を前記所定の少なくとも一種類のファイルを表す画像と対応させて前記表示手段に表示させるための表示信号を生成する第二の表示信号生成手段と、を備えることを特徴とする再生装置。
【請求項３】
前記計数手段は、前記選択されたフォルダ名をもつフォルダ内のフォルダ数を前記フォルダ情報に基づき計数し、
前記第二の表示信号生成手段が生成する前記表示信号は、前記計数されたフォルダ数を表す画像をフォルダを表す画像と対応させて前記表示手段に表示させるための表示信号である、ことを特徴とする請求項２に記載の再生装置。
【請求項４】
情報読み出し手段と、ＲＡＭとを備え、
該情報読み出し手段は前記記録媒体から前記ファイル情報を読み出し、該読み出されたファイル情報は前記ＲＡＭに記憶され、前記計数手段は前記ＲＡＭに記憶されたファイル情報に基づき計数することを特徴とする請求項２に記載の再生装置。
【発明の詳細な説明】
【技術分野】
【０００１】
本発明は、再生装置に関するものである。
【背景技術】
【０００２】
従来、フォルダやファイルによる階層構造が記録されたディスクからファイルを再生できるＤＶＤ再生装置が開発されている。
【０００３】
従来のＤＶＤ再生装置に階層構造が記録されたディスクを挿入すると、自動的に図４のようなファイルリスト表示がされる。ここでは、ルートフォルダ直下の階層の情報が表示される。ルートフォルダ直下にフォルダが存在する場合、図４のように先頭にマーク１０１が付されてフォルダ名が表示される。また、ルートフォルダ直下にＭＰ３ファイルが存在する場合、図４のように先頭にマーク１０２が付されてファイル名が表示される。また、ルートフォルダ直下にＷＭＡファイルが存在する場合、図４のように先頭にマーク１０３が付されてファイル名が表示される。また、ルートフォルダ直下にＪＰＥＧファイルが存在する場合、図４のように先頭にマーク１０４が付されてファイル名が表示される。また、リモコン操作により上下移動可能なハイライト１０５も表示される。
【０００４】
ハイライト１０５が所望のフォルダ名にリモコン操作により移動されてリモコンにおいて決定ボタンが押されると、該フォルダ名のフォルダ直下の階層の情報がハイライト１０５と共に表示され、そこにファイルが存在すれば図４と同様にファイルが表示される。そして、所望のファイル名にリモコン操作によりハイライト１０５が移動され、リモコンにおいて決定ボタンが押されると該ファイル名のファイルの再生が開始される。
【０００５】
ここで、例えば、図４のように同じ階層にフォルダを３つ作成し、あるフォルダにＭＰ３ファイルのみ格納し、別のフォルダにＷＭＡファイルのみ格納し、さらに別のフォルダにＪＰＥＧファイルのみ格納したが、ユーザがどのフォルダにどのファイルを格納したか忘れた場合、目的のファイルを探すためにはフォルダを選択して決定しファイルを確認し、もし目的のファイルがない場合は再度上位の階層に戻るということを繰り返す必要があり、探し出すまでの時間が長くなってしまうという問題がある。
【０００６】
ここで、特許文献１には、選択されたフォルダ内にファイルが一つ以上ある場合は、選択されたフォルダ内のファイルを表すマークを表示させるようなものが開示されている。このような技術を上記従来のＤＶＤ再生装置に用いれば、上記のような場合、フォルダ名がハイライト１０５により選択され、該フォルダ名のフォルダ内にＭＰ３ファイルがあればマーク１０２を表示させ、該フォルダ名のフォルダ内にＷＭＡファイルがあればマーク１０３を表示させ、該フォルダ名のフォルダ内にＪＰＥＧファイルがあればマーク１０４を表示させることも可能である。これにより、ユーザはフォルダ名をハイライト１０５で選択するだけでフォルダ内のファイルを確認できるため、目的のファイルを短時間で探し出すことができる。
【特許文献１】特開２００３−３００１９号公報
【発明の開示】
【発明が解決しようとする課題】
【０００７】
従来のＤＶＤ再生装置に上記特許文献１の技術を適用すれば、上記のような場合は確かに目的のファイルを短時間で探し出すことが可能かもしれない。しかし、いずれのフォルダにもＭＰ３ファイル、ＷＭＡファイル、ＪＰＥＧファイルが格納されたような場合は、いずれのフォルダをハイライト１０５で選択してもマーク１０２、１０３、１０４が表示されるということが起こり、これだけではユーザは目的のファイルがどのフォルダ内にあるか推測困難であり、結局、試行錯誤で目的のファイルを探し出す必要があり時間がかかってしまう。
【０００８】
上記問題点を鑑み、本発明は、同じ階層に作成された複数のフォルダのいずれにも同種類のファイルが格納されているような場合でも目的のファイルを探し出す時間を短縮できる再生装置を提供することを目的とする。
【課題を解決するための手段】
【０００９】
上記目的を達成するために本発明の再生装置は、表示手段にフォルダ名を表示させるための表示信号を記録媒体に記録されたフォルダ情報に基づき生成する第一の表示信号生成手段と、
前記表示手段に表示されたフォルダ名が操作手段における操作により選択されると、該選択されたフォルダ名をもつフォルダ内の所定の少なくとも一種類のファイルの種類毎のファイル数を前記記録媒体に記録されたファイル情報に基づき計数する計数手段と、
該計数されたファイル数を表す画像を前記所定の少なくとも一種類のファイルを表す画像と対応させて前記表示手段に表示させるための表示信号を生成する第二の表示信号生成手段と、を備えることを特徴としている。
【００１０】
このような構成によれば、同じ階層に作成された複数のフォルダのいずれにも同種類のファイルが格納されているような場合でも、表示されたフォルダ名の選択操作だけで選択されたフォルダ名のフォルダ内のファイル種類毎のファイル数が確認でき、目的のファイルがどのフォルダにあるかを推測し易くなり、目的のファイルを探し出す時間を短縮できる。
【００１１】
また、本発明の再生装置は上記構成において、前記計数手段は、前記選択されたフォルダ名をもつフォルダ内のフォルダ数を前記フォルダ情報に基づき計数し、前記第二の表示信号生成手段が生成する前記表示信号は、前記計数されたフォルダ数を表す画像をフォルダを表す画像と対応させて前記表示手段に表示させるための表示信号である構成をとってもよい。
【００１２】
このような構成によれば、同じ階層に作成された複数のフォルダの各フォルダ内のフォルダ数をフォルダ名の選択操作だけで確認でき、目的のファイルを探し出す際の利便性が向上する。
【００１３】
また、本発明の再生装置は上記構成において、情報読み出し手段と、ＲＡＭとを備え、該情報読み出し手段は前記記録媒体から前記ファイル情報を読み出し、該読み出されたファイル情報は前記ＲＡＭに記憶され、前記計数手段は前記ＲＡＭに記憶されたファイル情報に基づき計数する構成をとってもよい。
【００１４】
このような構成によれば、ファイル数の表示までの時間をほとんどかからなくすることができる。
【発明の効果】
【００１５】
本発明の再生装置によれば、同じ階層に作成された複数のフォルダのいずれにも同種類のファイルが格納されているような場合でも目的のファイルを探し出す時間を短縮できる。
【発明を実施するための最良の形態】
【００１６】
以下、本発明の実施形態について図面を参照しながら説明する。図１に、本発明に係るＤＶＤ再生装置のブロック図を示す。
【００１７】
本発明に係るＤＶＤ再生装置は、ＤＶＤドライブ１、デコード部２、ＯＳＤ部３、オーディオＤＡコンバータ４、ビデオエンコーダ５、制御部６、ＲＡＭ７、リモコン受信部８を備える。
【００１８】
ＤＶＤドライブ１は、ディスクからファイルを読み出しデコード部２に出力したり、ディスクからフォルダ情報およびファイル情報を読み出し制御部４に出力したりする。デコード部２は、ＭＰ３、ＷＭＡ、ＪＰＥＧの各方式でファイルをデコードし、デジタル音声信号をオーディオＤＡコンバータ４に出力し、デジタル画像信号をＯＳＤ部３に出力する。オーディオＤＡコンバータ４は、デジタル音声信号をアナログ音声信号に変換して外部のスピーカへ出力する。ＯＳＤ部３は、制御部６の指示により図形文字信号を生成して、デコード部２からのデジタル画像信号と合成して合成信号を生成し、合成信号をビデオエンコーダ５に出力する。また、ＯＳＤ部３は、合成せずに図形文字信号をビデオエンコーダ５に出力もする。ビデオエンコーダ５は、ＯＳＤ部３からの合成信号や図形文字信号をビデオ信号に変換して外部の表示装置に出力する。リモコン受信部８は、不図示のリモコンから赤外線信号を受信し制御部６へコード信号を出力する。
【００１９】
このような構成の本発明に係るＤＶＤ再生装置のファイルリスト表示に関する動作について以下説明する。
【００２０】
まず、ディスクがＤＶＤドライブ１に挿入されると、ＤＶＤドライブ１はディスクからフォルダ情報およびファイル情報を読み出し、制御部６は読み出されたフォルダ情報およびファイル情報をＲＡＭ７に記憶させる。ここで、フォルダ情報は、フォルダ位置情報、フォルダ名情報を含む。また、ファイル情報は、ファイル位置情報、ファイル名情報、アドレス情報、サイズ情報を含む。
【００２１】
そして、制御部６は、ＲＡＭ７に記憶されたフォルダ情報およびファイル情報に基づきＯＳＤ部３に図形文字信号を生成するよう指示し、不図示の表示装置において図４のようなファイルリスト表示がされる。
【００２２】
ここでは、ルートフォルダ直下のフォルダのフォルダ名がマーク１０１を先頭に付されて表示される。また、ルートフォルダ直下のＭＰ３ファイルのファイル名がマーク１０２を先頭に付されて表示される。また、ルートフォルダ直下のＷＭＡファイルのファイル名がマーク１０３を先頭に付されて表示される。また、ルートフォルダ直下のＪＰＥＧファイルのファイル名がマーク１０４を先頭に付されて表示される。また、リモコン操作により上下移動可能なハイライト１０５も表示される。
【００２３】
また、画面の左端には、マーク１０１が先頭に付された「ＦＯＬＤＥＲ」という文字、マーク１０２が先頭に付された「ＭＰ３」という文字、マーク１０３が先頭に付された「ＷＭＡ」という文字、マーク１０４が先頭に付された「ＪＰＥＧ」という文字が上下に配列されて表示される。
【００２４】
ここで、リモコン操作によりハイライト１０５がフォルダ名に移動されると、図２に示すフローチャートの動作が行われる。
【００２５】
まず、ステップＳ１で、制御部６は、ＲＡＭ７に記憶されたフォルダ情報に基づき、ハイライト１０５が移動されたフォルダ名のフォルダ内のフォルダ数を計数する。また、制御部６は、ＲＡＭ７に記憶されたフォルダ情報およびファイル情報に基づき、ハイライト１０５が移動されたフォルダ名のフォルダ内のＭＰ３ファイル、ＷＭＡファイル、ＪＰＥＧファイルそれぞれのファイル数を計数する。
【００２６】
そして、ステップＳ２で、制御部６は上記ステップＳ１の計数結果に基づきＯＳＤ部３に図形文字信号を生成するよう指示し、表示装置に図３のように計数結果が表示される。ここでは、「ＦＯＬＤＥＲ」という文字の隣に上記ステップＳ１で計数されたフォルダ数が表示される。また、「ＭＰ３」という文字の隣に上記ステップＳ１で計数されたＭＰ３ファイルのファイル数が表示され、「ＷＭＡ」という文字の隣に上記ステップＳ１で計数されたＷＭＡファイルのファイル数が表示され、「ＪＰＥＧ」という文字の隣に上記ステップＳ１で計数されたＪＰＥＧファイルのファイル数が表示される。
【００２７】
このような図２に示すフローチャートの動作は、リモコン操作によりハイライト１０５がフォルダ名に移動されるたびに行われる。また、ルートフォルダ直下のフォルダ名が表示され、ハイライト１０５によりフォルダ名が選択された状態でリモコンの決定ボタンが押されると、選択されたフォルダ名のフォルダ直下にフォルダがあれば該フォルダのフォルダ名が表示される。ここでも、リモコン操作によりハイライト１０５がフォルダ名に移動されるたびに図２に示すフローチャートの動作が行われる。このようにあらゆる階層のフォルダについて図２に示すフローチャートの動作が行われる。
【００２８】
本発明によれば、前述したように同じ階層に作成された複数のフォルダのいずれにもＭＰ３ファイル、ＷＭＡファイル、ＪＰＥＧファイルが格納されているような場合でも、各フォルダ内の各ファイルのファイル数がハイライト１０５の移動操作だけで確認でき、目的のファイルがどのフォルダにあるかを推測し易く、目的のファイルを探し出す時間を短縮できる。また、前述したように同じ階層に作成された複数のフォルダのうち一つのフォルダにＭＰ３ファイルのみが、別のフォルダにＷＭＡファイルのみが、さらに別のフォルダにＪＰＥＧファイルのみが格納されているような場合でも、各フォルダにどのファイルが格納されているかをハイライト１０５の移動操作だけで確認でき、やはり目的のファイルを探し出す時間を短縮できる。従って、従来よりも目的のファイルを探し出す際の利便性が向上する。
【００２９】
また、本発明によれば、同じ階層に作成された複数のフォルダの各フォルダ内のフォルダ数をハイライト１０５の移動操作だけで確認することもでき、目的のファイルを探し出す際の利便性が向上する。
【００３０】
また、本発明によれば、ハイライト１０５をフォルダ名に移動させたときのフォルダ数やファイル数の計数はＲＡＭ７に記憶された情報に基づき行われるので、計数結果の表示に時間はほとんどかからない。
【００３１】
なお、図２に示すフローチャートにおけるステップＳ２での表示について、フォルダ数やファイル数が０の場合、「０」の代わりに「無」と表示させるようにしてもよい。例えば、図３であれば、「ＦＯＬＤＥＲ」の隣に「無」と表示される。また、フォルダ数やファイル数が０の場合、計数結果は表示させないようにしてもよい。例えば、図３であれば、「ＦＯＬＤＥＲ」の隣には数字が表示されない。
【図面の簡単な説明】
【００３２】
【図１】は、本発明に係るＤＶＤ再生装置のブロック図である。
【図２】は、フォルダ名選択時の動作を示すフローチャートである。
【図３】は、ファイルリスト表示の一例である。
【図４】は、ファイルリスト表示の一例である。
【符号の説明】
【００３３】
１    ＤＶＤドライブ
２    デコード部
３    ＯＳＤ部
４    オーディオＤ／Ａコンバータ
５    ビデオエンコーダ
６    制御部
７    ＲＡＭ
８    リモコン受信部
【図１】
2008097712.tif 000003
【図２】
2008097712.tif 000004
【図３】
2008097712.tif 000005
【図４】
2008097712.tif 000006